(57)【要約】【課題】利得の低下および静電気破壊を抑制する電子制御装置を提供する。【解決手段】無線通信回路が設けられた回路基板２０１と、回路基板２０１の一面に設けられた無線アンテナ２０４と、無線アンテナ２０４が設けられた回路基板２０１を取り囲み、外部機器との通信を可能にするように、少なくとも一部が樹脂で形成された筐体１０４とを備え、回路基板２０１の一面に、無線アンテナ２０４および少なくとも無線通信回路の一部の周囲を囲み、無線アンテナ２０４の利得を増大するための開口部２１２が形成された環状導体パターン２１０が形成されている。【選択図】図２
2016032211.tif 000002
【特許請求の範囲】
【請求項１】
無線アンテナと無線通信回路が少なくとも一面に設けられた回路基板と、
前記無線アンテナによる電磁波の放射と受信を可能にしつつ前記回路基板を収容する筐体とを備え、
前記回路基板の前記一面には、前記無線アンテナの前記電磁波の受信面が向く方向に延在する領域を除いて、前記無線アンテナと前記無線通信回路を取り囲むように導体パターンが形成されている電子制御装置。
【請求項２】
請求項１に記載の電子制御装置において、
前記筐体のうち、少なくとも前記無線アンテナの受信面と対峙する側面の少なくとも一部の領域は樹脂カバーとされ、
前記無線アンテナは、前記樹脂カバーが配置された前記側面に近い前記回路基板の前記一面に設けられている電子制御装置。
【請求項３】
請求項１に記載の電子制御装置において、
前記導体パターンは、前記回路基板の周縁に沿う外周輪郭線と内周輪郭線とで規定された所定幅のパターンであり、前記無線アンテナの前記受信面が向く方向の前記回路基板の前記一面には前記導体パターンが形成されていない開口部が設けられ、
前記無線アンテナは、前記受信面が前記導体パターンの内周輪郭線よりも内側となるように配置されている電子制御装置。
【請求項４】
請求項３に記載の電子制御装置において、
前記無線アンテナの前記受信面が向く方向に延在する前記回路基板の端縁と前記導体パターンの外周輪郭線との距離を第１距離とし、前記回路基板の前記端縁と前記無線アンテナの受信面との距離を第２距離としたとき、前記第２距離は前記第１距離より大きい電子制御装置。
【請求項５】
請求項４に記載の電子制御装置において、
前記筐体のうち、前記無線アンテナの受信面と対峙する側面の少なくとも一部の領域は樹脂カバーとされ、その他の領域は金属カバーとされ、
前記無線アンテナの受信面と、その受信面に最も近い前記金属カバーの面との距離を第３距離としたとき、前記第３距離は前記第２距離よりも大きい電子制御装置。
【請求項６】
請求項１に記載された電子制御装置と、
前記電子制御装置に取り付けられた金属製の取付部材とを備え、
前記導体パターンは、前記回路基板の周縁に沿う外周輪郭線と内周輪郭線とで規定された所定幅のパターンであり、前記無線アンテナの前記受信面が向く方向の前記回路基板の前記一面には前記導体パターンが形成されていない開口部が設けられ、
前記筐体のうち、少なくとも、前記無線アンテナの受信面と対峙する第１側面と、前記取付部材が取り付けられる第２側面は樹脂カバーとされ、前記無線アンテナの前記受信面が向く方向の前記回路基板の端縁と前記無線アンテナの受信面との距離を第４距離とし、前記筐体の前記第２側面に接続される前記取付部材における前記無線アンテナの受信面に最も近い面と、前記無線アンテナの受信面との距離を第５距離としたとき、前記第５距離は前記第４距離より大きい電子制御装置の取付け構造。
【請求項７】
請求項６に記載された電子制御装置の取付け構造において、
前記筐体はすべて樹脂製である電子制御装置の取付け構造。
【発明の詳細な説明】
【技術分野】
【０００１】
本発明は、無線アンテナを備える電子制御装置および電子制御装置の取付け構造に関する。
【背景技術】
【０００２】
無線により外部と通信を行う電子制御装置では、静電気による電子部品の破壊を防止するため、一部または全体が金属部材で形成された筐体内に無線アンテナが収納されている。筐体全体を樹脂により形成した構造もあるが、電子制御装置が搭載される車両等の装置には、金属製の取付部材により取り付けられる。
無線電波は、金属部材に吸収されて利得（ゲイン）が低下するため、金属部材は、無線アンテナの周囲からできるだけ離間する方が望ましい。
【０００３】
従来、無線アンテナが実装された回路基板に、無線アンテナの基準グランドとなる銅箔パターンを２つに分割し、インダクタンス素子により互いに接続する小型無線装置が知られている。この小型無線装置は、例えば携帯電話機として構成され、筐体の外部にアンテナを配置すると共に、アンテナ近傍における筐体の外表面に金属板を配置した構造を有する（例えば、特許文献１の明細書［００５３］参照）。
【先行技術文献】
【特許文献】
【０００４】
【特許文献１】特開２００７−１７４５４０号公報
【発明の概要】
【発明が解決しようとする課題】
【０００５】
上記特許文献に記載された小型無線装置では、アンテナが筐体の外部に設けられるので、アンテナの破損等が懸念され、車載用としては適さない。このため、アンテナが筐体内に収容され、利得の低下および静電気破壊を抑制する電子制御装置が望まれている。
【課題を解決するための手段】
【０００６】
（１）請求項１の発明による電子制御装置は、無線アンテナと無線通信回路が少なくとも一面に設けられた回路基板と、前記無線アンテナによる電磁波の放射と受信を可能にしつつ前記回路基板を収容する筐体とを備え、前記回路基板の前記一面には、前記無線アンテナの前記電磁波の受信面が向く方向に延在する領域を除いて、前記無線アンテナと前記無線通信回路を取り囲むように導体パターンが形成されている。
（２）請求項６の発明による電子制御装置の取付け構造は、請求項１に記載された電子制御装置と、前記電子制御装置に取り付けられた金属製の取付部材とを備え、前記導体パターンは、前記回路基板の周縁に沿う外周輪郭線と内周輪郭線とで規定された所定幅のパターンであり、前記無線アンテナの前記受信面が向く方向の前記回路基板の前記一面には前記導体パターンが形成されていない開口部が設けられ、前記筐体のうち、少なくとも、前記無線アンテナの受信面と対峙する第１側面と、前記取付部材が取り付けられる第２側面は樹脂カバーとされ、前記無線アンテナの前記受信面が向く方向の前記回路基板の端縁と前記無線アンテナの受信面との距離を第４距離とし、前記筐体の前記第２側面に接続される前記取付部材における前記無線アンテナの受信面に最も近い面と、前記無線アンテナの受信面との距離を第５距離としたとき、前記第５距離は前記第４距離より大きい。
【発明の効果】
【０００７】
本発明によれば、アンテナが筐体内に収容され、利得の低下および静電気破壊を抑制する電子制御装置を得ることができる。
【図面の簡単な説明】
【０００８】
【図１】本発明の電子制御装置の一実施の形態の外観斜視図。
【図２】図１に図示された電子制御装置の上部カバーを取り外した状態の平面図。
【図３】図１に図示された電子制御装置のIII−III線断面図。
【図４】本発明の電子制御装置の一実施の形態のブロック回路図。
【図５】本発明の電子制御装置の実施形態２の断面図。
【発明を実施するための形態】
【０００９】
−実施形態１−
以下、図を参照して、本発明の一実施の形態を説明する。
図１は、本発明の電子制御装置の一実施の形態としての外観斜視図である。
電子制御装置１００は、上部カバー１０１と、下部カバー１０２（図２、図３参照）と、前面カバー１０３とをねじ等の締結部材により固定して形成した筐体１０４を備える。
筐体１０４内には、後述する無線アンテナ２０４（図２、３参照）等の電子部品と無線通信回路が収容されている。
【００１０】
図２は、図１に図示された電子制御装置の上部カバーを取り外した状態の平面図であり、図３は、図１に図示された電子制御装置のIII−III線断面図である。
上部カバー１０１は、金属部材により形成され、幅広な上面板１０１ａと、上面板１０１ａの両側部にほぼ９０度屈曲して形成された一対の幅狭の上部側側面板１０１ｂと、上面板１０１ａと各上部側側面板１０１ｂのそれぞれに対してほぼ９０度に屈曲された上部側後部側面板１０１ｃとを有する。上部カバー１０１の各上部側側面板１０１ｂには、図１に図示されるように、上部カバー１０１の内面側に突き出すフック片１０１ｆが形成されている。フック片１０１ｆは、矩形の開口１０１ｅおよび開口１０１ｅの一辺から開口１０１ｅ内に延在して設けられている。上フック片１０１ｆは、後述するように、下部カバー１０２の下部側側面板１０２ｂを両側から挟圧するように弾性変形可能に、上部カバー１０１に一体に形成されている。
【００１１】
下部カバー１０２は、上面板１０１ａに対向する幅広な底面板１０２ａと、底面板１０２ａの両側部にほぼ９０度屈曲して形成された一対の幅狭の下部側側面板１０２ｂとを有する。各下部側側面板１０２ｂは、上部側側面板１０１ｂにほぼ平行に対面している。下部カバー１０２は、樹脂または金属により形成することができるが、本実施形態では、金属により形成されているものとして説明する。
下部カバー１０２の底面板１０２ａの後部側には、切り欠き１０２ｃが設けられている。上部カバー１０１の上部側後部側面板１０１ｃの下部側には、爪部１０１ｄが形成されている。
前面カバー１０３は、樹脂により、縦板と、該縦板の上下に設けられた横板とを有する断面ほぼコ字形状に形成されており、上下の横板には、それぞれ、雌ねじ部が設けられている。
【００１２】
筐体１０４は、以下の手順により形成される。ねじ等の締結部材１８１により、前面カバー１０３の下部側の横板を下部カバー１０２に固定する。上部カバー１０１の爪部１０１ｄを下部カバー１０２の切り欠き１０２ｄに係合し、爪部１０１ｄを支点として上部カバー１０１を回転する。上部カバー１０１の一対の上部側側面板１０１ｂそれぞれに設けられたフック片１０１ｆが下部カバー１０２の下部側側面板１０２ｂを挟圧し、上部カバー１０１と下部カバー１０２とが仮固定される。この状態で、ねじ等の締結部材１８２により、上部カバー１０１の上面板１０１ａを前面カバー１０３の上部側の横板に固定する。これにより筐体１０４が形成される。
なお、上部カバー１０１の爪部１０１ｄと下部カバー１０２の切り欠き１０２ｃとの係合に替えて締結部材による固定としてもよい。また、前面カバー１０３は、上部カバー１０１または下部カバー１０２と一体成形してもよい。
【００１３】
筐体１０４内には、回路基板２０１、コネクタ２０２、無線アンテナ２０４、無線通信回路２０５、制御回路２０６、電源回路２０７が内蔵されている。
コネクタ２０２、無線アンテナ２０４、無線通信回路２０５、制御回路２０６、電源回路２０７は、回路基板２０１の一面２０１ａ（図３参照）に設けられている。回路基板２０１は、下部カバー１０２の底面板１０２ａに設けられた複数のボス部１９１に、ねじ等の締結部材１８３により固定される。
【００１４】
回路基板２０１の一面２０１ａには、無線アンテナ２０４、無線通信回路２０５、制御回路２０６および電源回路２０７を取り囲む略環状の導体パターン２１０が設けられている。導体パターン２１０は、符号２１１ａで示す外周輪郭線と、符号２１１ｂで示す内周輪郭線とで規定された所定の幅（太さ）を有するパターンである。無線アンテナ２０４、無線通信回路２０５、制御回路２０６および電源回路２０７は、導体パターン２１０の内周輪郭線２１０ｂの内側に、内周輪郭線２１０ｂから離間して配置されている。
【００１５】
回路基板２０１は、ほぼ矩形形状を有し、前面カバー１０３側には、該前面カバー１０３の内面から離間して、前面カバー１０３の内面に平行に延在する一端縁２０１ｂが配置されている。
導体パターン２１０は、回路基板２０１の周縁部に沿って形成されており、回路基板２０１の一端縁２０１ｂの内方側に、回路基板２０１の一端縁２０１ｂにほぼ平行に延在された領域２１１ａと２１１ｂとを有している。導体パターン領域２１１ａと２１１ｂとの間はアンテナ開口部２１２である。
回路基板２０１には、回路基板２０１の４つのコーナー部に、導体パターン２１０も貫通する貫通孔が形成されており、回路基板２０１を下部カバー１０２に締結する締結部材１８３により、ボス部１９１を介して下部カバー１０２に電気的に接続されている。
これにより、導体パターン２１０は、静電気をグラウンドに流す静電気保護導体として機能する。
【００１６】
上述したとおり、導体パターン２１０の一対の領域２１１ａと２１１ｂの間には開口部２１２が形成されている。無線アンテナ２０４は、その電磁波受信面の中央が、開口部２１２の中央、換言すれば、一対の領域２１１ａと２１１ｂの離間距離の中央と対向して配置されている。
具体的には、無線アンテナ２０４は、その受信面が、導体パターン２１０の内周輪郭線２１０ｂと同一線上、もしくは、内側に実装されている。
無線アンテナ２０４は、例えばＢｌｕｅｔｏｏｔｈ（登録商標）規格に準拠した２．４ＧＨｚ帯（ＩＳＭ帯域）で１０ｍ又は１００ｍ程度の近距離エリアでデータ通信するためのアンテナ素子である。無線アンテナ２０４の一例として、コアにコイルを巻き付けた、厚さ１ｍｍ程度以下のヘリカルアンテナとすることができる。しかし、これに限定されるものではない。
【００１７】
図２において、回路基板２０１の前面カバー１０３側の一端縁２０１ｂと、導体パターン２１０の一対の領域２１１ａ，２１１ｂの外周輪郭線２１０ａとの距離を第１距離Ｌ1とする。また、回路基板２０１の前面カバー１０３側の一端縁２０１ｂと無線アンテナ２０４の受信面との距離を第２距離Ｌ2とする。
第１距離Ｌ1と第２距離Ｌ2とが式（１）を満足するようにする。
Ｌ2＞Ｌ1                式（１）
【００１８】
式（１）を満足することで、前面カバー１０３側の静電気は導体パターン２１０の一対の領域２１１ａ、２１１ｂに侵入する。このため、導体パターン２１０の一対の領域２１１ａ，２１１ｂの間の開口部２１２から無線アンテナ２０４への静電気の流入を防止することができ、無線アンテナ２０４の静電気による破壊を防ぐことができる。
なお、無線アンテナ２０４が指向性を有するときは、開口部２１２の中心に無線アンテナ２０４のゲインが最大となる方向を一致させることが好ましい。
【００１９】
図３において、上部カバー１０１の上面板１０１ａの内面と無線アンテナ２０４の受信面との距離をＨ1とする。下部カバー１０２の底面板１０２ａの内面と無線アンテナ２０４の受信面との距離をＨ2とする。Ｈ1とＨ2とのうち、小さい方の距離を第３距離Ｈとする。
第３距離Ｈと第２距離Ｌ2とが式（２）を満足するようにする。
Ｈ＞Ｌ2                式（２）
【００２０】
式（２）を満足することで、電波の利得の低下を抑えることができる。
つまり、無線アンテナ２０４の周囲に金属が配置されていると、電波の利得が低下する。しかし、式（２）のように、第３距離Ｈを第２距離Ｌ2より大きく採ることで、静電気の侵入を防ぎつつ、電波の利得の低下を抑えることが可能となる。
【００２１】
上記一実施の形態では、無線アンテナ２０４を回路基板２０１の一端縁のほぼ中央部に配置した構造であるが、無線アンテナ２０４を下部カバー１０２の下部側側面板１０２ｂまたは上部カバー１０１の上部側側面板１０１ｂの付近に配置する構造とすることもできる。このような構造では、下部側側面板１０２ｂまたは上部側側面板１０１ｂと無線アンテナ２０４との距離が、上面板１０１ａまたは底面板１０２ａと無線アンテナ２０４との距離よりも小さくなることもある。その場合には、下部側側面板１０２ｂまたは上部側側面板１０１ｂと無線アンテナ２０４との距離をＨとし、式（２）を満足するようにする。つまり、無線アンテナ２０４と、無線アンテナ２０４に最も近い金属製のカバーとの距離を第３距離Ｈとし、式（２）を満足するようにする。
【００２２】
また、図２において、無線アンテナ２０４の受信面の長さをＷ1とし、導体パターン２１０の一対の領域２１１ａ，２１１ｂの離間距離、すなわち開口部２１２の開口長さをＷ2とするとき、次の式（３）を満足するようにする。
Ｗ2＞Ｗ1                式（３）
導体パターン２１０が無線アンテナ２０４の前面カバー１０３側を取り囲んでしまうと、電波の利得が低下する。式（３）を満足する構成とすることにより、利得の低下を防ぐことができる。
【００２３】
図４に電子制御装置１００のブロック回路図を示す。
電子制御装置１００は、自動車等の車両に、例えば、携帯電話機等のモバイル端末との無線通信が可能なように搭載される。電子制御装置１００は、無線アンテナ２０４、アンテナマッチング回路２０８、無線通信回路２０５、制御回路２０６、電源回路２０７を備えている。また、電子制御装置１００は、図２，図３で説明したとおり、回路基板２０１に形成された略環状の導体パターン２１０、およびコネクタ２０２を備えている。
【００２４】
不図示のバッテリから供給される電源（ＶＢ）４００がコネクタ２０２を介して、電子制御装置（ＥＣＵ）１００内部の電源回路２０７に供給される。電源回路２０７は、信号処理をつかさどる制御回路２０６、無線通信回路２０５等の信号系の素子に供給する正電源電圧（ＶＣＣ）を生成する。
【００２５】
制御回路２０６はＣＰＵやメモリ等で構成され、ＥＣＵ１００の動作を制御する。モバイル端末のような外部機器と無線通信を行う場合は、制御回路２０６が無線通信回路２０５を制御し、アンテナマッチング回路２０８、無線アンテナ２０４を介してデータの授受を行う。アンテナマッチング回路２０８は、無線アンテナ２０４と無線通信回路２０５間の特性インピーダンスをマッチングさせる。
【００２６】
導体パターン２１０は、図４において一点鎖線で表わした経路を通り、電源回路２０７等の制御系のＧＮＤとコネクタ２０２の直近箇所ＧＮＤ＿Ａで接続され、車両のＧＮＤに接続される。このため、導体パターン２１０に吸収された静電気は、ＧＮＤ＿Ａ、コネクタ２０２を介して、そのまま車両のＧＮＤに落ち、無線アンテナ２０４および他の回路部に静電気が流れることはない。これにより、静電気による無線アンテナ２０４および他の回路部の破壊を防ぐことができる。
【００２７】
上記一実施の形態によれば下記の効果を奏する。
（１）本発明の一実施形態の電子制御装置は、無線アンテナ２０４と無線通信回路２０５が少なくとも一面に設けられた回路基板２０１と、無線アンテナ２０４による電磁波の放射と受信を可能にしつつ回路基板２０１を収容する筐体１０４とを備える。そして、回路基板２０１の一面２０１ａには、無線アンテナ２０４の電磁波の受信面が向く方向に延在する領域を除いて、無線アンテナ２０４と無線通信回路２０５を取り囲むように導体パターン２１０が形成されている。
一実施形態の電子制御装置の筐体１０４のうち、少なくとも無線アンテナ２０４の受信面と対峙する側面は樹脂カバー１０３とされ、無線アンテナ２０４は樹脂カバー１０３が配置された筐体側面に近い回路基板２０１の一面に設けられている。
また、一実施形態の電子制御装置の導体パターン２１０は、回路基板２０１の周縁に沿う外周輪郭線２１１ａと内周輪郭線２１１ｂとで規定された所定幅のパターンである。無線アンテナ２０４の受信面が向く方向の回路基板２０１の一面２０１ａには導体パターン２１０が形成されていない開口部２１２が設けられ、無線アンテナ２０４は、受信面が導体パターン２１０の内周輪郭線２１１ｂよりも内側となるように配置されている。
したがって、筐体内にアンテナを収容しても、利得の低下および静電気破壊を抑制することができる。
【００２８】
（２）（回路基板２０１の一端縁２０１ｂと無線アンテナ２０４の受信面との第２距離Ｌ2）＞（回路基板２０１の一端縁２０１ｂと導体パターン２１０の外周輪郭線２１０ａとの第１距離Ｌ1）とした。
このため、静電気による無線アンテナ２０４および他の回路部の破壊を防止することができる。上記において、特に、無線アンテナ２０４は、その受信面が、導体パターン２１０の前カバー側の一対の領域２１１ａ，２１１ｂの内周輪郭線２１０ｂと同一線上またはそれよりも内側となるように配置することが好ましい。
【００２９】
（３）上部カバー１０１の上面板１０１ａの内面と無線アンテナ２０４の受信面との距離Ｈ1、および下部カバー１０２の底面板１０２ａの内面と無線アンテナ２０４の受信面との距離をＨ2のいずれも上記第２距離Ｌ2よりも大きくした。このため、静電気による破壊を防ぎつつ、電波の利得の低下を抑えることができる。
【００３０】
（４）（導体パターン２１０の開口部２１２の前面カバー１０３と平行な方向の長さＷ2）＞（無線アンテナ２０４の受信面の長さＷ1）
とした。
この構成により、さらに、静電気による破壊を防ぎ、かつ、電波の利得の低下を抑える効果を向上することができる。
【００３１】
−実施形態２−
図５は、本発明の電子制御装置の実施形態２の断面図である。
実施形態２の電子制御装置１００Ａは、筐体１０４を構成する上部カバー１０１と、下部カバー１０２と、前面カバー１０３のすべてが樹脂により形成されている。電子制御装置１００Ａは、車両のシャーシ、ブラケット等の金属製の取付部材５０１に締結部材５０２により取り付けられている。取付部材５０１は、不図示の締結部材により車両に取り付けられている。
実施形態２における他の構成は、実施形態１と同様であり、対応する部材に同一の符号を付して説明を省略する。
【００３２】
図５において、回路基板２０１の前面カバー１０３側の一端縁２０１ｂと無線アンテナ２０４の受信面との距離を第４距離Ｌ4とし、取付部材５０１の内面と無線アンテナ２０４の受信面との距離を第５距離Ｈ3とするとき、第４距離Ｈ3と第２距離Ｌ2とが式（４）を満足するようにする。
Ｈ3＞Ｌ4                式（４）
なお、第４距離Ｌ4は、実施形態1の第２距離Ｌ2に対応する。
【００３３】
式（４）を満足する構成とすることにより、静電気による無線アンテナ２０４および他の回路部の破壊を防ぎつつ、電波の利得の低下を抑えることが可能となる。
従って、実施形態２においても実施形態１と同様な効果を奏することができる。
【００３４】
なお、上記各実施形態では、筐体１０４を、上部カバー１０１、下部カバー１０２および前面カバー１０３の３つのカバーにより構成した。しかし、上部側側面板１０１ｂまたは下部側側面板１０２ｂ等を、上部カバー１０１または下部カバー１０２とは別部材として筐体１０４を構成するようにしてもよい。また、筐体１０４は、直方体形状でなく、例えば、一部または全体が筒状形状部を有するような形状としたり、他の任意な形状としたりすることができる。
【００３５】
上記各実施形態では、前面カバー１０３全体を樹脂により形成した構成として例示した。しかし、例えば、アウトサート成形などにより、前面カバー１０３の一部のみ、すなわち無線アンテナと対向する領域のみ樹脂により形成してもよい。また、筐体１０４において、樹脂で形成する部位を、上・下部カバー１０１、１０２の任意な部位とすることもできる。
【００３６】
実施形態２の電子制御装置は、無線アンテナ２０４と無線通信回路２０５が少なくとも一面に設けられた回路基板２０１と、無線アンテナ２０４による電磁波の放射と受信を可能にしつつ回路基板２０１を収容する筐体１０４とを備える。そして、回路基板２０１の一面２０１ａには、無線アンテナ２０４の電磁波の受信面が向く方向に延在する領域を除いて、無線アンテナ２０４と無線通信回路２０５を取り囲むように導体パターン２１０が形成されている。
【００３７】
ここで、少なくとも、無線アンテナ２０４の受信面と対峙する前面と、取付部材５０１が取り付けられる上面を樹脂カバーとした筐体１００を有する電子制御装置の取付け構造は、筐体１０４の樹脂製の上面に取り付けられた金属製の取付部材５０１を備え、この取付部材５０１により電子制御装置が車両の所定箇所に取り付けられる。このような変形例では、無線アンテナ２０４の受信面が向く方向の回路基板２０１の端縁と無線アンテナ２０４の受信面との距離をＬ２とし、筐体１０４の上面に接続される取付部材５０１における無線アンテナ２０４の受信面に最も近い面と、無線アンテナ２０４の受信面との距離をＨ5としたとき、距離Ｈ5は距離Ｌ4より大きくするのが好ましい。
【００３８】
上記各実施形態では、筐体１０４の内部に１つの回路基板２０１を収容した構成として例示した。しかし、回路基板２０１を複数にして、一部の回路を無線アンテナ２０４が実装された回路基板とは別の回路基板に設けるようにしてもよい。別の回路基板に形成するＧＮＤ用の導体パターンは、回路全体を３６０度包囲する完全な環状形状とすることができる。
【００３９】
また、回路基板２０１の取付け構造等、他の構造についても、適宜、変形して適用することが可能である。すなわち、本発明は、無線アンテナと無線通信回路が少なくとも一面に設けられた回路基板と、無線アンテナによる電磁波の放射と受信を可能にしつつ回路基板を収容する筐体とを備え、無線アンテナの電磁波受信面と対峙する箇所を除いて、無線アンテナと無線通信回路を取り囲むように導体パターンを回路基板の一面に形成した種々の形態の電子制御装置に適用される。
【符号の説明】
【００４０】
１００、１００Ａ      電子制御装置
１０１      上部カバー
１０２      下部カバー
１０３      前面カバー
１０４      筐体
２０１      回路基板
２０１ａ    一面
２０１ｂ    一端縁
２０４      無線アンテナ
２１０      導体パターン
２１１ａ    外周輪郭線
２１１ｂ    内周輪郭線
２１２      開口部
５０１      取付部材
【図１】
2016032211.tif 000003
【図２】
2016032211.tif 000004
【図３】
2016032211.tif 000005
【図４】
2016032211.tif 000006
【図５】
2016032211.tif 000007